(57)【要約】  【課題】  容易に芯数展開が図れ、しかも、高寿命化が図れる多極コネクタを提供する。  【解決手段】  一方のケース部３２（８２）と他方のケース部３３（８３）とを拡げた状態で、変えたピッチで信号端子４２（相手側信号端子９２）を端子装着部４５（８８）に装着する。また、信号端子４２は、側面視でく字形状に屈曲してあって、その屈曲点が接点部４３にしてあるコンタクト部４２Ｃを有しており、相手側信号端子９２は、平板で直線状の相手側コンタクト部９２Ｃを有しているように、信号端子（雌端子）４２にベローズコンタクト（すなわち、薄板を均一なばね特性が得られるような形状に曲げて作られたコンタクト）を使用し、相手側信号端子（雄端子）９２は、平板で直線状のコンタクトを使用するようにした。【選択図】  図５
2006066352.tif 000002
【特許請求の範囲】
【請求項１】
コネクタと、このコネクタに係脱可能に結合される相手側コネクタとを備えた多極コネクタであって、
前記コネクタは、コネクタハウジングと、このコネクタハウジングに係脱可能に係合される端子ユニットを備え、前記相手側コネクタは、相手側コネクタハウジングと、この相手側コネクタハウジングに係脱可能に係合される相手側端子ユニットを備えており、
前記端子ユニットにおける接触端子は、屈曲したコンタクト部を有しており、前記相手側端子ユニットにおける相手側接触端子は、平板で直線状の相手側コンタクト部を有しており、前記端子ユニットにおける端子装着部に前記接触端子を装着すると共に、前記相手側端子ユニットにおける端子装着部に前記相手側接触端子を装着するようにしたことを特徴とする多極コネクタ。
【請求項２】
前記端子ユニットと前記相手側端子ユニットの双方は、一方のケース部と他方のケース部とをヒンジ部を介して連結したケースを有していて、前記一方及び他方のケース部の表側に複数の前記端子装着部を設けて、これらの端子装着部に前記接触端子を装着し、前記一方のケース部と前記他方のケース部とを前記ヒンジ部で折り畳んで、前記接触端子を前記ケースを挟んだ互いに反対位置に配した構成であることを特徴とする請求項１に記載の多極コネクタ。
【請求項３】
前記一方のケース部と前記他方のケース部のいずれかの一方に係止突起部を、他方に係止孔をそれぞれ設けて、前記一方のケース部と前記他方のケース部とを前記ヒンジ部で折り畳んで前記係止突起部を前記係止孔に挿入係止することで、前記一方及び他方のケース部のそれぞれの裏面を互いに合わせるようにしたことを特徴とする請求項２に記載の多極コネクタ。
【請求項４】
コネクタと、このコネクタに係脱可能に結合される相手側コネクタとを備えた多極コネクタであって、
前記コネクタは、電源端子用ハウジング部と、この電源端子用ハウジング部に所定の間隔を置いて並設された信号端子用ハウジング部と、前記電源端子用ハウジング部に係脱可能に係合される電源端子ユニットと、前記信号端子用ハウジング部に係脱可能に係合される信号端子ユニットとを備え、
前記相手側コネクタは、相手側電源端子用ハウジング部と、この相手側電源端子用ハウジング部に所定の間隔を置いて並設された相手側信号端子用ハウジング部と、前記相手側電源端子用ハウジング部に係脱可能に係合される相手側電源端子ユニットと、前記相手側信号端子用ハウジング部に係脱可能に係合される相手側信号端子ユニットとを備えていて、
前記信号端子ユニットにおける信号端子は、屈曲したコンタクト部を有しており、前記相手側信号端子ユニットにおける相手側信号端子は、平板で直線状の相手側コンタクト部を有しており、前記信号端子ユニットにおける端子装着部に前記信号端子を装着すると共に、前記相手側信号端子ユニットにおける端子装着部に前記相手側信号端子を装着するようにしたことを特徴とする多極コネクタ。
【請求項５】
前記電源端子ユニットにおける電源端子は、平板で直線状の相手側コンタクト部を有しており、前記相手側電源端子ユニットにおける相手側電源端子は、屈曲したコンタクト部を有しており、
前記電源端子ユニットにおける端子装着部に前記電源端子を装着すると共に、前記相手側電源端子ユニットにおける端子装着部に前記相手側電源端子を装着するようにしたことを特徴とする請求項４に記載の多極コネクタ。
【請求項６】
前記信号端子ユニットと前記相手側信号端子ユニットの双方は、一方のケース部と他方のケース部とをヒンジ部を介して連結したケースを有していて、前記一方及び他方のケース部の表側に複数の前記端子装着部を設けており、
前記信号端子ユニットは、前記端子装着部に前記信号端子を装着し、前記一方のケース部と前記他方のケース部とを前記ヒンジ部で折り畳んで、前記信号端子を、前記ケースを挟んだ互いに反対位置に配した構成にしてあり、前記相手側信号端子ユニットは、前記端子装着部に前記相手側信号端子を装着し、前記一方のケース部と前記他方のケース部とを前記ヒンジ部で折り畳んで、前記相手側信号端子を、前記ケースを挟んだ互いに反対位置に配した構成にしてあることを特徴とする請求項４又は請求項５に記載の多極コネクタ。
【請求項７】
前記一方のケース部と前記他方のケース部のいずれかの一方に係止突起部を、他方に係止孔をそれぞれ設けて、前記一方のケース部と前記他方のケース部とを前記ヒンジ部で折り畳んで前記係止突起部を前記係止孔に挿入係止することで、前記一方及び他方のケース部のそれぞれの裏面を互いに合わせるようにしたことを特徴とする請求項６に記載の多極コネクタ。
【発明の詳細な説明】
【技術分野】
【０００１】
本発明は電気コネクタに係わり、特に、取付パネルに対し可動に設けられたフローティングコネクタ等の多極コネクタに関する。
【背景技術】
【０００２】
一般に、複写機等の内部のスライド可能な装置間の接続に用いられるコネクタとして、フローティングコネクタが知られている。
【０００３】
フローティングコネクタは雄側コネクタと雌側コネクタとで対を成し、雄側コネクタは雌側コネクタに嵌合可能に形成されている。通常、いずれか一方のコネクタは取付パネルに対して可動に設けられ、雄側コネクタが雌側コネクタに嵌合する際の嵌合誤差を吸収できるようになっている。
【０００４】
従来のこの種の多極コネクタとして特許文献１に述べられており、この多極コネクタにおける雌側コネクタは、電源端子用ハウジング部と、この電源端子用ハウジング部に所定の間隔を置いて並設された信号端子用ハウジング部とを備えていて、電源端子用ハウジング部は、角筒状の外周壁部と、この外周壁部の内部に形成された電源端子保持部とから構成してあり、この電源端子保持部は、所要数、例えば４本の電源端子を直接に保持している。
【０００５】
また、信号端子用ハウジング部は、角筒状の外周壁部と、この外周壁部の内部に形成された信号端子保持部とから構成されている。そして、信号端子保持部は所要数、例えば１０本の信号端子を直接に保持している。
【０００６】
また、多極コネクタにおける雄側コネクタは、電源端子用ハウジング部と、この電源端子用ハウジング部に所定の間隔を置いて並設された信号端子用ハウジング部とを備えていて、電源端子用ハウジング部は、雌側コネクタの電源端子用ハウジング部の空間に嵌合可能な角筒状の外周壁部と、この外周壁部の内部に形成された電源端子保持部とから構成されていて、電源端子保持部は所要数、例えば４本の電源端子を直接に保持している。
【０００７】
また、信号端子用ハウジング部は、雌側コネクタの信号端子用ハウジング部の空間に嵌合可能な角筒状の外周壁部と、この外周壁部の内部に形成された信号端子保持部とから構成されていて、信号端子保持部は所要数、例えば１０本の信号端子を直接に保持している。
【０００８】
雄側コネクタを雌側コネクタに結合するには、最初に、雄側コネクタの電源端子用ハウジング部が雌側コネクタの電源端子用ハウジング部に嵌合し始め、その後、雄側コネクタの信号端子用ハウジング部が雌側コネクタの信号端子用ハウジング部に嵌合し、電源端子同士が接触し、信号端子同士が接触することで行われる。
【０００９】
また、従来のこの種の多極コネクタとして特許文献２に述べられており、この多極コネクタは、図３０に示すように、プラグコネクタ１００とヘッダコネクト１１０とを備えており、プラグコネクタ１００は、コネクタハウジング１０１を有していて、このコネクタハウジング１０１内に、端子ユニット１０２を挿入することで構成してある。
【００１０】
端子ユニット１０２は、複数本の電線付きのコンタクト１０３をケース１０４に装着した構成であり、これらのコンタクト１０３は雌端子である。そして、コネクタハウジング１０１のラッチアーム１０５にケース１０４の係止部１０６を係止することで、端子ユニット１０２がコネクタハウジング１０１に装着してある。
【００１１】
また、ヘッダコネクタ１１０はコネクタハウジング１１１を有していて、このコネクタハウジング１１１内に、ピン形状のポストコンタクト１１２を複数本収容して構成してある。
【００１２】
そして、プラグコネクタ１００をヘッダコネクタ１１０のコネクタハウジング１１１に挿入し、端子ユニット１０２のコンタクト１０３をポストコンタクト１１２に接触させることで両コンタクト１０３、１１２を互いに導通させている。
【特許文献１】特開２００１−２４４０２９号公報
【特許文献２】実開平５−４１０７７号公報
【発明の開示】
【発明が解決しようとする課題】
【００１３】
しかし、上記した従来の前者の多極コネクタにあっては、雌、雄側コネクタにおいて、電源端子は電源端子用ハウジング部に組み込まれるまでは、むき出しの状態（電源端子が裸の状態）であり、この状態のときに電源端子を破損させる虞があったし、また、電源端子は、電源端子用ハウジング部の電源端子保持部に直接に保持されており、また、信号端子は、信号端子用ハウジング部の信号端子保持部に直接に保持されているし、また、雄側コネクタにおいて、電源端子は、電源端子用ハウジング部の電源端子保持部に直接に保持されており、また、信号端子は、信号端子用ハウジング部の信号端子保持部に直接に保持されているために、雌側コネクタ及び雄側コネクタにおいて、電源端子用ハウジング部と信号端子用ハウジング部は、変えたピッチで接触端子を端子保持部に保持させることができないために、コネクタハウジングを共有しつつ、端子ユニットの種類を選択することができないという問題点があった。
【００１４】
また、上記した従来の後者の多極コネクタにあっては、プラグコネクタ１００は、雌端子のコンタクト１０３に対して雄端子のコンタクトはピン形状のポストコンタクト１１２であるために、挿抜力が増大するようになって、コネクタの高寿命化を図ることができないという問題点があった。
【００１５】
また、コネクタハウジング１０１内に端子ユニット１０２を挿入することで構成してあるが、端子ユニット１０２は、変えたピッチでコンタクト１０３を装着することができないために、コネクタハウジングを共有しつつ、端子ユニットの種類を選択することができないという問題点があった。
【００１６】
本発明は、かかる従来の問題を改善するためになされたもので、その目的とするところは、高寿命化が図れると共に、コネクタハウジングを共有しつつ、端子ユニットの種類を選択することで、容易に芯数展開が図れる多極コネクタを提供することである。
【課題を解決するための手段】
【００１７】
上記の目的を達成するために、本発明に係る多極コネクタは、コネクタと、このコネクタに係脱可能に結合される相手側コネクタとを備えた多極コネクタであって、コネクタは、コネクタハウジングと、このコネクタハウジングに係脱可能に係合される端子ユニットを備え、相手側コネクタは、相手側コネクタハウジングと、この相手側コネクタハウジングに係脱可能に係合される相手側端子ユニットを備えており、端子ユニットにおける接触端子は、屈曲したコンタクト部を有しており、相手側端子ユニットにおける相手側接触端子は、平板で直線状の相手側コンタクト部を有しており、端子ユニットにおける端子装着部に接触端子を装着すると共に、相手側端子ユニットにおける端子装着部に相手側接触端子を装着するようにしたことを特徴とする。
【００１８】
かかる構成により、端子ユニットにおける接触端子（雌端子）にベローズコンタクト（すなわち、薄板を均一なばね特性が得られるような形状に曲げて作られたコンタクト）を使用し、相手側接触端子（雄端子）は、平板で直線状のコンタクトを使用することにより、挿抜力が低減して多極コネクタの高寿命化が可能になる。しかも、接触端子はユニット化されているために、製品管理が容易である。
【００１９】
また、本発明に係る多極コネクタは、上記した本発明に係る多極コネクタにおいて、端子ユニットと相手側端子ユニットの双方は、一方のケース部と他方のケース部とをヒンジ部を介して連結したケースを有していて、一方及び他方のケース部の表側に複数の端子装着部を設けて、これらの端子装着部に接触端子を装着し、一方のケース部と他方のケース部とをヒンジ部で折り畳んで、接触端子をケースを挟んだ互いに反対位置に配した構成であることを特徴とする。
【００２０】
かかる構成により、一方のケース部と他方のケース部とを拡げた状態で、変えたピッチで接触端子を端子装着部に装着することができるために、その接触端子の芯数を変えた端子ユニットと相手側端子ユニットの双方を容易に製作することができる。このために、コネクタハウジング（相手側コネクタハウジング）を共有しつつ、端子ユニット（相手側端子ユニット）の種類を選択することで、容易に芯数展開が図れるようになる。
【００２１】
また、本発明に係る多極コネクタは、上記した本発明に係る多極コネクタにおいて、一方のケース部と他方のケース部のいずれかの一方に係止突起部を、他方に係止孔をそれぞれ設けて、一方のケース部と他方のケース部とをヒンジ部で折り畳んで係止突起部を係止孔に挿入係止することで、一方及び他方のケース部のそれぞれの裏面を互いに合わせるようにしたことを特徴とする。
【００２２】
かかる構成により、その接触端子の芯数を変えた端子ユニットと相手側端子ユニットの双方を容易に製作することができるために、コネクタハウジング（相手側コネクタハウジング）を共有しつつ、端子ユニット（相手側端子ユニット）の種類を選択することで、容易に芯数展開が図れるようになる。
【００２３】
また、上記の目的を達成するために、本発明に係る多極コネクタは、コネクタと、このコネクタに係脱可能に結合される相手側コネクタとを備えた多極コネクタであって、コネクタは、電源端子用ハウジング部と、この電源端子用ハウジング部に所定の間隔を置いて並設された信号端子用ハウジング部と、電源端子用ハウジング部に係脱可能に係合される電源端子ユニットと、信号端子用ハウジング部に係脱可能に係合される信号端子ユニットとを備え、相手側コネクタは、相手側電源端子用ハウジング部と、この相手側電源端子用ハウジング部に所定の間隔を置いて並設された相手側信号端子用ハウジング部と、相手側電源端子用ハウジング部に係脱可能に係合される相手側電源端子ユニットと、相手側信号端子用ハウジング部に係脱可能に係合される相手側信号端子ユニットとを備えていて、信号端子ユニットにおける信号端子は、屈曲したコンタクト部を有しており、相手側信号端子ユニットにおける相手側信号端子は、平板で直線状の相手側コンタクト部を有しており、信号端子ユニットにおける端子装着部に信号端子を装着すると共に、相手側信号端子ユニットにおける端子装着部に相手側信号端子を装着するようにしたことを特徴とする。
【００２４】
かかる構成により、電源端子ユニットと信号端子ユニットとを備えた多極コネクタにおいても、信号端子ユニットにおける信号端子（雌端子）にベローズコンタクト（すなわち、薄板を均一なばね特性が得られるような形状に曲げて作られたコンタクト）を使用し、相手側信号端子（雄端子）は、平板で直線状のコンタクトを使用することにより、挿抜力が低減して多極コネクタの高寿命化が可能になる。しかも、信号端子はユニット化されているために、製品管理が容易である。
【００２５】
また、本発明に係る多極コネクタは、上記した本発明に係る多極コネクタにおいて、電源端子ユニットにおける電源端子は、平板で直線状の相手側コンタクト部を有しており、相手側電源端子ユニットにおける相手側電源端子は、屈曲したコンタクト部を有しており、電源端子ユニットにおける端子装着部に電源端子を装着すると共に、相手側電源端子ユニットにおける端子装着部に相手側電源端子を装着するようにしたことを特徴とする。
【００２６】
かかる構成により、相手側電源端子（雌端子）にベローズコンタクト（すなわち、薄板を均一なばね特性が得られるような形状に曲げて作られたコンタクト）を使用し、電源端子（雄端子）は、平板で直線状のコンタクトを使用することにより、挿抜力が低減して、多極コネクタの高寿命化が可能になる。しかも、電源端子は電源側ケースの電源端子用ハウジング部に組み込まれるために、電源端子の破損を回避することができる。しかも、電源端子及び相手側電源端子はユニット化されているために、製品管理が容易である。
【００２７】
また、本発明に係る多極コネクタは、上記した本発明に係る多極コネクタにおいて、信号端子ユニットと相手側信号端子ユニットの双方は、一方のケース部と他方のケース部とをヒンジ部を介して連結したケースを有していて、一方及び他方のケース部の表側に複数の端子装着部を設けており、信号端子ユニットは、端子装着部に信号端子を装着し、一方のケース部と他方のケース部とをヒンジ部で折り畳んで、信号端子を、ケースを挟んだ互いに反対位置に配した構成にしてあり、相手側信号端子ユニットは、端子装着部に相手側信号端子を装着し、一方のケース部と他方のケース部とをヒンジ部で折り畳んで、相手側信号端子を、ケースを挟んだ互いに反対位置に配した構成にしてあることを特徴とする。
【００２８】
かかる構成により、電源端子ユニットと信号端子ユニットとを備えた多極コネクタにおいても、一方のケース部と他方のケース部とを拡げた状態で、変えたピッチで信号端子及び相手側信号端子を端子装着部に装着することができるために、その信号端子及び相手側信号端子の芯数を変えた信号端子ユニットと相手側信号端子ユニットの双方を容易に製作することができる。このために、コネクタハウジング（相手側コネクタハウジング）を共有しつつ、信号端子ユニット（相手側信号端子ユニット）の種類を選択することで、容易に芯数展開が図れるようになる。
【００２９】
また、本発明に係る多極コネクタは、上記した本発明に係る多極コネクタにおいて、一方のケース部と他方のケース部のいずれかの一方に係止突起部を、他方に係止孔をそれぞれ設けて、一方のケース部と他方のケース部とをヒンジ部で折り畳んで係止突起部を係止孔に挿入係止することで、一方及び他方のケース部のそれぞれの裏面を互いに合わせるようにしたことを特徴とする。
【００３０】
かかる構成により、電源端子ユニットと信号端子ユニットとを備えた多極コネクタにおいても、その信号端子の芯数を変えた信号端子ユニットと相手側信号端子ユニットの双方を容易に製作することができるために、コネクタハウジング（相手側コネクタハウジング）を共有しつつ、信号端子ユニット（相手側信号端子ユニット）の種類を選択することで、容易に芯数展開が図れるようになる。
【発明の効果】
【００３１】
本発明に係る多極コネクタによれば、端子ユニットにおける接触端子（雌端子）にベローズコンタクト（すなわち、薄板を均一なばね特性が得られるような形状に曲げて作られたコンタクト）を使用し、相手側接触端子（雄端子）は、平板で直線状のコンタクトを使用することにより、挿抜力が低減して多極コネクタの高寿命化が可能になる。しかも、接触端子はユニット化されているために、製品管理が容易である。
【００３２】
また、本発明に係る多極コネクタによれば、一方のケース部と他方のケース部とを拡げた状態で、変えたピッチで接触端子を端子装着部に装着することができるために、その接触端子の芯数を変えた端子ユニットと相手側端子ユニットの双方を容易に製作することができる。このために、コネクタハウジング（相手側コネクタハウジング）を共有しつつ、端子ユニット（相手側端子ユニット）の種類を選択することで、容易に芯数展開が図れるようになる。
【００３３】
また、本発明に係る多極コネクタによれば、電源端子ユニットと信号端子ユニットとを備えた多極コネクタにおいても、信号端子ユニットにおける信号端子（雌端子）にベローズコンタクト（すなわち、薄板を均一なばね特性が得られるような形状に曲げて作られたコンタクト）を使用し、相手側信号端子（雄端子）は、平板で直線状のコンタクトを使用することにより、挿抜力が低減して多極コネクタの高寿命化が可能になる。しかも、信号端子はユニット化されているために、製品管理が容易である。
【００３４】
また、本発明に係る多極コネクタによれば、相手側電源端子（雌端子）にベローズコンタクト（すなわち、薄板を均一なばね特性が得られるような形状に曲げて作られたコンタクト）を使用し、電源端子（雄端子）は、平板で直線状のコンタクトを使用することにより、挿抜力が低減して、多極コネクタの高寿命化が可能になる。また、電源端子は電源側ケースの電源端子用ハウジング部に組み込まれるために、電源端子の破損を回避することができる。しかも、電源端子は電源側ケースの電源端子用ハウジング部に組み込まれるために、電源端子の破損を回避することができる。しかも、電源端子及び相手側電源端子はユニット化されているために、製品管理が容易である。
【００３５】
また、本発明に係る多極コネクタによれば、電源端子ユニットと信号端子ユニットとを備えた多極コネクタにおいても、一方のケース部と他方のケース部とを拡げた状態で、変えたピッチで信号端子を端子装着部に装着することができるために、その信号端子の芯数を変えた信号端子ユニットと相手側信号端子ユニットの双方を容易に製作することができる。このために、コネクタハウジング（相手側コネクタハウジング）を共有しつつ、信号端子ユニット（相手側信号端子ユニット）の種類を選択することで、容易に芯数展開が図れるようになる。
【発明を実施するための最良の形態】
【００３６】
以下、本発明の実施の形態を、図面を参照して説明する。
【００３７】
図１は本発明の実施の形態に係る多極コネクタのプラグコネクタの斜視図、図２は本発明の実施の形態に係る多極コネクタのレセプタクルの斜視図、図３はプラグコネクタとレセプタクルの嵌合前における断面図、図４は図３のＸ−Ｘ断面図、図５は図３のＹ−Ｙ断面図である。
【００３８】
本発明に係る多極コネクタは、コネクタであるプラグコネクタＡと、このコネクタＡが結合される相手側コネクタであるレセプタクルＢとを備えている。
【００３９】
プラグコネクタＡは、図１に示すように、コネクタハウジング１と、電源端子ユニット（端子ユニット）２０と、信号端子ユニット（端子ユニット）３０とを備えている。
【００４０】
図１及び図６に示すように、コネクタハウジング１は、四角筒状の電源端子用ハウジング部（コネクタハウジング）２と、この電源端子用ハウジング部２に隣接する四角筒状の信号端子用ハウジング部（コネクタハウジング）３と、前記各ハウジング部２、３の端部に形成されたフランジ部４と、フランジ部４に設けられた弾性腕部７（図７参照）とを備えている。
【００４１】
図８に示すように、電源端子用ハウジング部２のコネクタ短手方向ロの対向壁部２ａ、２ｂには係合孔９が形成してあり、また、図７に示すように、コネクタ長手方向イの内側壁部２ｄには誤挿入防止用凹部１０が形成してある。
【００４２】
また、図９に示すように、信号端子用ハウジング部３のコネクタ短手方向ロの対向壁部３ａ、３ｂには挟持片１１が形成してあり、また、挟持片１１の両側に係合孔１２（図７参照）が形成してある。また、図７に示すように、コネクタ長手方向イの内側壁部３ｄには誤挿入防止用凹部１３が形成してある。
【００４３】
電源端子ユニット２０は、図１、図１０乃至図１２に示すように四角筒状の電源側ケース２１を備えており、この電源側ケース２１内は、十字形状の仕切壁部２２により四個の四角筒状の空間部２２Ａに区画してあり、各空間部２２Ａの底部には電源端子保持孔部２３が形成してあり、これらの電源端子保持孔部２３は電源ケーブル接続口２４に連なっている。電源端子保持孔部２３の基部に係止部２５が設けてある。
【００４４】
また、図１１に示すように、電源側ケース２１のコネクタ短手方向ロの外面部には係合突起部２６が突設してあり、また、電源側ケース２１のコネクタ長手方向イの外面部には誤挿入防止用凸部２７が突設してある。
【００４５】
図３及び図４に示すように、接触端子である電源端子２８は雄端子であり、圧着部２８Ａと圧入部２８Ｂとコンタクト部２８Ｃとを有していて、このコンタクト部２８Ｃは板片状にしてあり、このコンタクト部２８Ｃの基部には端子側係止片２９が設けてある。そして、電源端子２８は、その圧着部２８Ａで電源ケーブルＫ１の端末部に圧着接続されている。
【００４６】
そして、図４に示すように、電源端子２８は信号ケーブル接続口２４から各空間部２２Ａに挿入してあって、圧着部２８Ａが信号ケーブル接続口２４内に位置し、圧入部２８Ｂが電源端子保持孔部２３に圧入保持され、コンタクト部２８Ｃが各空間部２２Ａ内に突入している。そして、端子側係止片２９が係止部２５に係止してある。
【００４７】
そして、電源端子ユニット２０は、図３及び図４に示すように、電源端子用ハウジング部２内に挿入してあって、係合突起部２６が係合孔９に係合されて抜け止めがなされ、誤挿入防止用凸部２７が誤挿入防止用凹部１０に挿入してある。
【００４８】
図１、図１３乃至図１７に示すように、信号端子ユニット３０は信号側ケース３１を備えており、この信号側ケース３１は、一方のケース部３２と他方のケース部３３とをヒンジ部３４を介して連結した構成にしてあり、一方のケース部３２の表面には、この一方のケース部３２の後部（図１３において左側部）にはコネクタ長手方向イに長い長方形状の凹部３５が形成してあり、また、一方のケース部３２の裏面の先部（図１４において右側部）にはコネクタ長手方向イに長い長方形状のコンタクト表出部３６が形成してあり、また、一方のケース部３２には、コネクタ長手方向イに所定のピッチで複数の端子保持孔部３７が形成してあって、これらの端子保持孔部３７は凹部３５及びコンタクト表出部３６のそれぞれに連なっている。そして、図１６に示すように、一方のケース部３２の裏面の先部には、端子保持孔部３７の延長上に位置させて端子引っ掛け部３８が形成してある。そして、凹部３５と端子表出口３６と複数の端子保持孔部３７と端子引っ掛け部３８とで端子装着部４５が構成してある。
【００４９】
また、図１３に示すように、一方のケース部３２のヒンジ部３４とは反対側の側辺部３２ａには誤挿入防止用突起部３２ｂが設けてあり、また、一方のケース部３２の裏面には、ヒンジ部３４とは反対側に位置させて係止部４１が設けてあり、また、一方のケース部３２の表面には、そのコネクタ長手方向イの両端側に位置させて係合突起部４０が突設してある。
【００５０】
また、他方のケース部３３には一方のケース部３２と同様に、凹部３５と、コンタクト表出部３６と、複数の端子保持孔部３７と端子引っ掛け部３８とから構成された端子装着部４５が設けてあり、また、他方のケース部３３のヒンジ部３４とは反対側の側辺部３３ａには誤挿入防止用突起部３３ｂが設けてあり、また、他方のケース部３３の裏面部には、ヒンジ部３４とは反対側に位置させて係止突起部３９が設けてあり、また、他方のケース部３３の表面には、そのコネクタ長手方向イの両端側に位置させて係合突起部４０が突設してある。
【００５１】
図１６に示すように、接触端子である信号端子４２はべローズ型の圧接端子であり、圧接部４２Ａと圧入部４２Ｂとコンタクト部４２Ｃとを有していて、このコンタクト部４２Ｃは側面視でく字形状に屈曲してあって、その屈曲点が接点部４３にしてあり、また、コンタクト部４２Ｃの先端部には引っ掛け部４４が形成してある。そして、図１に示すように、信号端子４２は、その圧接部４２Ａで信号ケーブルＫ２の端末部に圧接接続されている。
【００５２】
上記のように構成された信号端子４２は、一方及び他方のケース部３２、３３の端子装着部４５のそれぞれに装着してある。この場合、信号端子４２の圧接部４２Ａは凹部３５内に位置し、圧入部４２Ｂが端子保持孔部３７に圧入保持され、コンタクト部２８Ｃがコンタクト表出部３６内に突入している。そして、引っ掛け部４４が端子引っ掛け部３８に引っ掛けてある。
【００５３】
そして、図１７に示すように、一方のケース部３２と他方のケース部３３とをヒンジ部３４で折り畳んで係止突起部３９を係止孔４１に挿入係止することで、一方のケース部３２の裏面と他方のケース部３３の裏面とを合わせてあり、この状態では、一方及び他方のケース部３２、３３の端子表出用凹部３６が互いに対向していて、一方及び他方のケース部３２、３３の信号端子４２のコンタクト部４２Ｃは互いに対向した状態になっている。また、一方のケース部３２と他方のケース部３３のそれぞれの誤挿入防止用突起部３２ｂ、３３ｂが重ねられていて誤挿入防止用凸部４６を構成してある。
【００５４】
そして、上記のように構成された信号端子ユニット３０は、図３及び図５に示すように、信号端子用ハウジング部３内に挿入してあって、係合突起部４０が係合孔１２に係合されて抜け止めがなされ、誤挿入防止用凸部４６が誤挿入防止用凹部１３に挿入してある。
【００５５】
相手側コネクタであるレセプタクルＢは、図２に示すように、相手側コネクタハウジング５１と、相手側電源端子ユニット（相手側端子ユニット）６５と、相手側信号端子ユニット（相手側端子ユニット）８０とを備えている。
【００５６】
相手側コネクタハウジング５１は、図２に示すように、四角筒状の電源端子用ハウジング部（相手側コネクタハウジング）５２と、この電源端子用ハウジング部５２に隣接する四角筒状の信号端子用ハウジング部（相手側コネクタハウジング）５３と、各ハウジング部５２、５３の端部に形成されたフランジ部５４とを備えている。そして、フランジ部５４のコネクタ長手方向イの両端部には円孔５４Ａ、５４Ｂが設けてある。また、電源端子用ハウジング部５２のコネクタ短手方向ロの対向壁部５２ａ、５２ｂには係合孔５９が形成してあるし、コネクタ長手方向イの内側壁部５２ｄには誤挿入防止用凹部６０が形成してある（図１９参照）。
【００５７】
図２１に示すように、信号端子用ハウジング部５３のコネクタ短手方向ロの対向壁部５３ａ、５３ｂには挟持片６１が形成してあり、また、挟持片６１の両側には係合孔６２が形成してある。また、コネクタ長手方向イの内側壁部５３ｄには誤挿入防止用凹部６３が形成してある（図１９参照）。
【００５８】
相手側電源端子ユニット６５は、図２に示すように四角筒状の電源側ケース６６を備えており、この電源側ケース６６には、図２２乃至図２４に示すように、四個の四角筒状の電源端子保持部６７が形成してあり、これらの電源端子保持部６７間には十字形状の溝部６８が形成してある。電源端子保持部６７は、端子挿入部７０と、コンタクト挿入孔部７１とを有しており、端子挿入部７０は電源ケーブル接続口７２に連なっており、端子挿入部７０の基部には係止部７３が設けてある。
【００５９】
また、図２２に示すように、電源側ケース６６のコネクタ短手方向ロの外面部には係合突起部７４が突設してあり、また、電源側ケース６６のコネクタ長手方向イの外面部には誤挿入防止用凸部７５が突設してある。
【００６０】
図３及び図４に示すように、相手側接触端子である相手側電源端子７６はべローズ型の雌端子（圧着端子）であり、圧着部７６Ａと挿入部７６Ｂとコンタクト部７６Ｃとを有していて、このコンタクト部７６Ｃは、互いに向い合う接触部７６ａ、７６ｂを有していて、接触部７６ａには舌片状の接点部７７ａが形成してあり、接触部７６ｂの屈曲点が接点部７７ｂにしてある。また、接触部７６ｂの後端部が端子側係止部７８にしてある。そして、図２に示すように、相手側電源端子７６は、その圧着部７６Ａで相手電源ケーブルＫ１―１の端末部に圧着接続されている。
【００６１】
そして、相手側電源端子７６は信号ケーブル接続口７２から電源端子保持部６７内に挿入してあって、圧着部７６Ａが信号ケーブル接続口７２内に位置し、挿入部７２Ｂが端子挿入部７０に挿入保持され、コンタクト部７２Ｃがコンタクト挿入孔部７１内に突入している。そして、端子側係止部７８が係止部７３に係止してある。
【００６２】
そして、上記のように構成された相手側電源端子ユニット６５は、図３及び図４に示すように、電源端子用ハウジング部５２内に挿入してあって、係合突起部７４が係合孔６２に係合されて抜け止めがなされ、誤挿入防止用凸部７５が誤挿入防止用凹部６０に挿入してある。そして、電源端子用ハウジング部５２の内周壁部と電源側ケース６６の四個の四角筒状の電源端子保持部６７との間の空間部が相手コネクタ嵌合部７９にしてある。
【００６３】
相手側信号端子ユニット８０は、図２、図２５乃至図２９に示すように、信号側ケース８１を備えており、この信号側ケース８１は、一方のケース部８２と他方のケース部８３とをヒンジ部８４を介して連結した構成にしてあり、一方のケース部８２の表面側には、この一方のケース部８２の後部（図２５において左側部）にはコネクタ長手方向イに長い長方形状の凹部８５が形成してあり、また、一方のケース部８２の先部（図２５において右側部）にはコネクタ長手方向イに長い長方形状のコンタクト表出部８６が形成してあり、また、図２８に示すように、一方のケース部８２には、コネクタ長手方向イに所定のピッチで複数の端子保持孔部８７が形成してあって、これらの端子保持孔部８７は凹部８５及びコンタクト表出部８６のそれぞれに連なっている。そして、凹部８５とコンタクト表出部８６と複数の端子保持孔部８７とで端子装着部８８が構成してある。
【００６４】
また、一方のケース部８２のヒンジ部８４とは反対側の側辺部には誤挿入防止用突起部８２ａが設けてあり、また、一方のケース部８２の裏面には、ヒンジ部８４とは反対側に位置させて係止孔９１Ｂが設けてあり、また、一方のケース部８２の表面には、そのコネクタ長手方向イの両端側に位置させて係合突起部９０が突設してある。
【００６５】
また、他方のケース部８３には一方のケース部８２と同様に、凹部８５と、コンタクト表出部６６と、複数の端子保持孔部７７とから構成された端子装着部８８が設けてあり、また、他方のケース部８３のヒンジ部８４とは反対側の側辺部には誤挿入防止用突起部８３ａが設けてあり、また、他方のケース部８３の裏面部には、ヒンジ部８４とは反対側に位置させて係止突起部孔９１Ａが設けてあり、また、他方のケース部８３の表面には、そのコネクタ長手方向イの両端側に位置させて係合突起部９０が突設してある。
【００６６】
図２８に示すように、相手側接触端子である相手側信号端子９２は雄型の圧接端子であり、圧接部９２Ａと挿入部９２Ｂとコンタクト部９２Ｃとを有していて、このコンタクト部９２Ｃは板片状にしてある。そして、図２に示すように、相手側信号端子９２は、その圧接部９２Ａで信号ケーブルＫ２−１の端末部に圧接接続されている。
【００６７】
上記したように構成された相手側信号端子９２は、図２８に示すように、一方及び他方のケース部８２、８３の端子装着部８８のそれぞれに装着してある。この場合、相手側信号端子９２の圧接部９２Ａは凹部８５内に位置し、挿入部９２Ｂが端子保持孔部８７に挿入保持され、コンタクト部８８Ｃがコンタクト表出部８６内に突入している。
【００６８】
そして、一方のケース部８２と他方のケース部８３とをヒンジ部８４で折り畳んで係止突起部９１Ａを係止孔９１Ｂに挿入係止することで、一方のケース部５２の裏面と他方のケース部８３の裏面とを合わせてある。また、一方のケース部８２と他方のケース部８３のそれぞれの誤挿入防止用突起部８２ａ、８３ａが重ねられていて誤挿入防止用凸部９６が構成してある。
【００６９】
そして、上記のように構成された相手側信号端子ユニット８０は、図３及び図５に示すように信号端子用ハウジング部５３内に挿入してあって、係合突起部９０が係合孔５９に係合されて抜け止めがなされ、誤挿入防止用凸部９６が誤挿入防止用凹部６３に挿入してある。そして、信号端子用ハウジング部５３の内部が相手コネクタ嵌合部９３を形成していて、この相手コネクタ嵌合部９３に、一方及び他方の相手側信号端子９２のコンタクト部９２Ｃが突入している。
【００７０】
上記したプラグコネクタＡとレセプタクルＢとは、対でフローティングコネクタを構成しており、レセプタクルＢは取付パネル（図示せず）に対し可動状態で取付けられる。すなわち、取付パネルには、レセプタクルＢの相手側コネクタハウジング５１が有するフランジ部５４の円孔５４Ａ、５４Ｂより小径なピン部材（図示せず）が設けてあり、レセプタクルＢが取付パネルに取付けられた際に、ピン部材が円孔５４Ａ、５４Ｂに挿入されて、ピン部材に対する円孔５４Ａ、５４Ｂの遊び（隙間）の範囲内にレセプタクルＢが可動できる構成であり、この構成でプラグコネクタＡがレセプタクルＢに嵌合する際の嵌合誤差を吸収する。
【００７１】
次に、プラグコネクタＡとレセプタクルＢとの結合及びこの結合の解除を説明する。
【００７２】
プラグコネクタＡをレセプタクルＢに結合するには、図３に示すように、最初に、プラグコネクタＡの電源端子用ハウジング部２が、レセプタクルＢの電源端子用ハウジング部５２の相手コネクタ嵌合部７９に嵌合し始め、その後、プラグコネクタＡの信号端子用ハウジング部３が、レセプタクルＢの信号端子用ハウジング部５３の相手コネクタ嵌合部９３に嵌合する。
【００７３】
電源端子用ハウジング部２、５２同士の嵌合により、電源端子ユニット２０の電源側ケース２１内の十字形状の仕切壁部２２が、相手側電源端子ユニット６５の電源側ケース６６の十字形状の溝部６８に挿入されて、電源端子２８の板片状のコンタクト部２８Ｃが、相手側電源端子７６のコンタクト部７６Ｃの互いに向い合う接触部７６ａ、７６ｂ間に挿入されて、コンタクト部２８Ｃが接点部７７ａ、接点部７７ｂに接触する。
【００７４】
また、信号端子用ハウジング部３、５３同士の嵌合により、信号端子４２のコンタクト部４２Ｃの接点部４３が相手側信号端子９２のコンタクト部９２Ｃの板片状のコンタクト部９２Ｃに接触する。
【００７５】
また、プラグコネクタＡとレセプタクルＢとの結合の解除は、プラグコネクタＡの信号端子用ハウジング部３をレセプタクルＢの相手コネクタ嵌合部９３から抜き出し、プラグコネクタＡの電源端子用ハウジング部２をレセプタクルＢの相手コネクタ嵌合部７９から抜き出して、電源端子ユニット２０の十字形状の仕切壁部２２を十字形状の溝部６８から抜き出し、電源端子２８のコンタクト部２８Ｃと相手側電源端子７６のコンタクト部７６Ｃとの接触を解除し、信号端子４２のコンタクト部４２Ｃと相手側信号端子９２のコンタクト部９２Ｃとの接触を解除することで行う。
【００７６】
以上説明したように、本発明の実施の形態によれば、信号端子４２は、側面視でく字形状に屈曲してあって、その屈曲点が接点部４３にしてあるコンタクト部４２Ｃを有しており、相手側信号端子９２は、平板で直線状の相手側コンタクト部９２Ｃを有しているように、信号端子（雌端子）４２にベローズコンタクト（すなわち、薄板を均一なばね特性が得られるような形状に曲げて作られたコンタクト）を使用し、相手側信号端子（雄端子）９２は、平板で直線状のコンタクトを使用することにより、挿抜力が低減して、多極コネクタの高寿命化が可能になる。しかも、電源端子及び相手側電源端子はユニット化されているために、製品管理が容易である。
【００７７】
また、本発明の実施の形態によれば、電源端子２９は、平板で直線状の相手側コンタクト部２９Ｃを有しており、相手側電源端子７６は、互いに向い合う接触部７６ａ、７６ｂの一方に舌片状の接点部７７ａを形成し、他方の接触部の屈曲点を接点部７７ｂにしたコンタクト部７６Ｃを有しているように、相手側電源端子（雌端子）７６にベローズコンタクト（すなわち、薄板を均一なばね特性が得られるような形状に曲げて作られたコンタクト）を使用し、電源端子（雄端子）２９は、平板で直線状のコンタクトを使用することにより、挿抜力が低減して、多極コネクタの高寿命化が可能になる。また、電源端子は電源側ケースの電源端子用ハウジング部に組み込まれるために、電源端子の破損を回避することができる。しかも、電源端子は電源側ケースの電源端子用ハウジング部に組み込まれるために、電源端子の破損を回避することができる。しかも、電源端子及び相手側電源端子はユニット化されているために、製品管理が容易である。
【００７８】
また、本発明の実施の形態によれば、一方のケース部３２（８２）と他方のケース部３３（８３）とを拡げた状態で、変えたピッチで信号端子４２（相手側信号端子９２）を端子装着部４５（８８）に装着することができるために、その信号端子４２（相手側信号端子９２）の芯数を変えた信号端子ユニット３０と相手側信号端子ユニット８０の双方を容易に製作することができる。このために、コネクタハウジング１（相手側コネクタハウジング５１）を共有しつつ、信号端子ユニット３０（相手側信号端子ユニット８０）の種類を選択することで、容易に芯数展開が図れるようになる。
【産業上の利用可能性】
【００７９】
本発明に係る多極コネクタは、端子ユニットにおける接触端子（雌端子）にベローズコンタクト（すなわち、薄板を均一なばね特性が得られるような形状に曲げて作られたコンタクト）を使用し、相手側接触端子（雄端子）は、平板で直線状のコンタクトを使用することにより、挿抜力が低減して多極コネクタの高寿命化が可能になる。しかも、接触端子はユニット化されているために、製品管理が容易であるし、また、一方のケース部と他方のケース部とを拡げた状態で、変えたピッチで接触端子を端子装着部に装着することができるために、その接触端子の芯数を変えた端子ユニットと相手側端子ユニットの双方を容易に製作することができる。このために、コネクタハウジング（相手側コネクタハウジング）を共有しつつ、端子ユニット（相手側端子ユニット）の種類を選択することで、容易に芯数展開が図れるようになるという効果を有し、取付パネルに対し可動に設けられたフローティングコネクタ等の電気コネクタに有用である。
【図面の簡単な説明】
【００８０】
【図１】本発明の実施の形態に係る多極コネクタのプラグコネクタの斜視図である。
【図２】本発明の実施の形態に係る多極コネクタのレセプタクルの斜視図である。
【図３】プラグコネクタとレセプタクルの嵌合前における断面図である。
【図４】図３のＸ−Ｘ断面図である。
【図５】図３のＹ−Ｙ断面図である。
【図６】プラグコネクタにおけるコネクタハウジングの平面図である。
【図７】図６のＣ−Ｃ断面図である。
【図８】図６のＤ−Ｄ断面図である。
【図９】図６のＥ−Ｅ断面図である。
【図１０】電源側ケースの側面図である。
【図１１】図１０のＦ方向からの矢視図である。
【図１２】図１１のＧ−Ｇ断面図である。
【図１３】信号端子ユニットの展開状態の平面図である。
【図１４】信号端子ユニットの展開状態の裏面図である。
【図１５】図１４のＨ方向からの矢視図である。
【図１６】図１３のＩ−Ｉ断面図である。
【図１７】信号端子ユニットの断面図である。
【図１８】レセプタクルにおけるコネクタハウジングの平面図である。
【図１９】図１８のＪ−Ｊ断面図である。
【図２０】図１８のＬ−Ｌ断面図である。
【図２１】図１８のＭ−Ｍ断面図である。
【図２２】相手側電源側ケースの側面図である。
【図２３】図２２のＮ方向からの矢視図である。
【図２４】図２３のＱ−Ｑ断面図である。
【図２５】相手側信号端子ユニットの展開状態の平面図である。
【図２６】相手側信号端子ユニットの展開状態の裏面図である。
【図２７】図２６のＲ方向からの矢視図である。
【図２８】図２５のＳ−Ｓ断面図である。
【図２９】相手側信号端子ユニットの断面図である。
【図３０】従来例の分解状態の斜視図である。
【符号の説明】
【００８１】
Ａ      プラグコネクタ（コネクタ）
Ｂ      レセプタクル（相手側コネクタ）
１      コネクタハウジング
２      電源端子用ハウジング部（コネクタハウジング）
３      信号端子用ハウジング部（コネクタハウジング）
２０    電源端子ユニット（端子ユニット）
２１    電源側ケース
２６    係合突起部
２８    電源端子（接触端子）
２８Ｃ  コンタクト部
３０    信号端子ユニット（端子ユニット）
３１    信号側ケース
３２    一方のケース部
３３    他方のケース部
３４    ヒンジ部
３９    係止突起部孔
４１    係止孔
４５    端子装着部
５１    相手側コネクタハウジング
６５    相手側電源端子ユニット（相手側端子ユニット）
５２    電源端子用ハウジング部（相手側コネクタハウジング）
５３    信号端子用ハウジング部（相手側コネクタハウジング）
６６    電源側ケース
７６    相手側電源端子（相手側接触端子）
７６ａ  接触部
７６ｂ  接触部
７６Ｃ  コンタクト部
７７ａ  接点部
７７ｂ  接点部
８０    相手側信号端子ユニット（相手側端子ユニット）
８１    信号側ケース
８２    一方のケース部
８３    他方のケース部
８４    ヒンジ部
８８    端子装着部
９１Ｂ  係止孔
９１Ａ  係止突起部孔
９２    相手側信号端子（相手側接触端子）
９２Ｃ  コンタクト部
【図１】
2006066352.tif 000003
【図２】
2006066352.tif 000004
【図３】
2006066352.tif 000005
【図４】
2006066352.tif 000006
【図５】
2006066352.tif 000007
【図６】
2006066352.tif 000008
【図７】
2006066352.tif 000009
【図８】
2006066352.tif 000010
【図９】
2006066352.tif 000011
【図１０】
2006066352.tif 000012
【図１１】
2006066352.tif 000013
【図１２】
2006066352.tif 000014
【図１３】
2006066352.tif 000015
【図１４】
2006066352.tif 000016
【図１５】
2006066352.tif 000017
【図１６】
2006066352.tif 000018
【図１７】
2006066352.tif 000019
【図１８】
2006066352.tif 000020
【図１９】
2006066352.tif 000021
【図２０】
2006066352.tif 000022
【図２１】
2006066352.tif 000023
【図２２】
2006066352.tif 000024
【図２３】
2006066352.tif 000025
【図２４】
2006066352.tif 000026
【図２５】
2006066352.tif 000027
【図２６】
2006066352.tif 000028
【図２７】
2006066352.tif 000029
【図２８】
2006066352.tif 000030
【図２９】
2006066352.tif 000031
【図３０】
2006066352.tif 000032